(57)【特許請求の範囲】
【請求項１】
板状の頂部と、該頂部の幅方向両端から下方に形成された脚部と、該両脚部の対向する内面側より幅方向中間箇所に向かって突出形成され且つ上下方向に高さ位置の異なる高位置挟持片と低位置挟持片と、前記両脚部同士を内方側に向かって締め付ける締付具とからなり、前記高位置挟持片と前記低位置挟持片は、前記脚部の下端より上方に位置してなると共に、前記高位置挟持片は、折板建築用板の馳締連結部の上方の凹状窪み部に食い込むようにし、且つ前記低位置挟持片は、前記馳締連結部の凸状膨出部の下端側を支持するようにしてなることを特徴とする建築用取付具。
【請求項２】
請求項１において、前記高位置挟持片を有する脚部は外方に向かって傾斜状に形成され、前記低位置挟持片を有する脚部は垂直状に形成されてなることを特徴とする建築用取付具。
【請求項３】
請求項１において、前記低位置挟持片を有する脚部は外方に向かって傾斜状に形成され、前記高位置挟持片を有する脚部は垂直状に形成されてなることを特徴とする建築用取付具。
【請求項４】
請求項１，２又は３のいずれか１項の記載において、前記締付具はボルト及びナットから構成され、且つ該ナットの位置する側の脚部には該ナットが収納される窪み部が形成されてなることを特徴とする建築用取付具。
【請求項５】
請求項４において、前記ボルトのボルト頭部と螺子軸部との間には角軸部が形成され、前記脚部には前記角軸部が挿入されると共に前記ボルトが軸周方向に非回転となる締付用貫通孔が形成されてなることを特徴とする建築用取付具。
【請求項６】
請求項１，２，３，４又は５のいずれか１項の記載において、前記頂部には螺子軸が具備されてなることを特徴とする建築用取付具。
【発明の詳細な説明】
【技術分野】
【０００１】
本発明は、馳締タイプの折板建築用板の馳締連結部に極めて強固に装着することができ、且つ装着作業における作業性を良好にできる建築用取付具に関する。
【背景技術】
【０００２】
従来、馳締連結タイプの折板建築用板によって、屋根（壁も含む）の金属製外囲体が施工されている。馳締連結タイプの折板建築用板では、その建築用板の幅方向の一方側に下馳部が形成され、他方側に上馳部が形成され、幅方向に隣接する一方の折板建築用板の下馳部に、他方の折板建築用板の上馳部が重合且つ馳締されて馳締連結部が形成される。この馳締連結部を利用して、太陽電池パネル，緑化屋根用装置等の種々の機器を設置するための建築用部材を装着し易いようにするために、取付具が存在している。
【先行技術文献】
【特許文献】
【０００３】
【特許文献１】実開平２−１２９５３０号公報
【特許文献２】実開平６−２４１１６号公報
【特許文献３】特開２０１０−１９６４２２号公報
【発明の概要】
【発明が解決しようとする課題】
【０００４】
特許文献１乃至３において、この種のものが記載されている。ところで、馳締連結部は、連結強度を強固にすると共に水密性も良好にするために、共に略円弧形状とした下馳部と上馳部とが互いに巻き付けられる重合構造としている。このような馳締連結部において、長手方向に直交する断面形状は、左右非対称の形状で、左右（幅方向）の一方側が凹弧状の窪みで、他方側が凸弧状の膨出形状となっている。
【０００５】
特許文献１では、金具（雪止め金具）によって馳締連結部の下方に位置する垂直立上り形状の首部が挟状固着されている。したがって、特許文献１では、その挟持箇所において、上下方向の固定が不安定となりガタツキが発生するおそれがある。また、特許文献２における金具（雪止め金具）は、単純な平馳タイプの馳締連結部を挟持固定している。特許文献２では、馳締連結部を安定した状態で挟持するために、補助的な役割をなす部材が存在し、部品点数が多くなり、施工も面倒となる欠点がある。
【０００６】
また、特許文献３では、特許文献１と同様に、金具（取付具）は、馳締連結部の垂直立上り形状の首部を挟持する構造であり、その挟持状態は特許文献１の場合と略同様である。したがって、特許文献３では、馳締連結部においても上下方向の固定が不安定となりガタツキが発生するおそれがある。本発明の目的（解決しようとする技術的課題）は、従来技術における欠点、つまり折板屋根における馳締連結部に対して、より一層強固な装着ができ、且つ極めて簡易で迅速な施工にすることができる建築用取付具を提供することにある。
【課題を解決するための手段】
【０００７】
そこで、発明者は上記課題を解決すべく、鋭意,研究を重ねた結果、請求項１の発明を、板状の頂部と、該頂部の幅方向両端から下方に形成された脚部と、該両脚部の対向する内面側より幅方向中間箇所に向かって突出形成され且つ上下方向に高さ位置の異なる高位置挟持片と低位置挟持片と、前記両脚部同士を内方側に向かって締め付ける締付具とからなり、前記高位置挟持片と前記低位置挟持片は、前記脚部の下端より上方に位置してなると共に、前記高位置挟持片は、折板建築用板の馳締連結部の上方の凹状窪み部に食い込むようにし、且つ前記低位置挟持片は、前記馳締連結部の凸状膨出部の下端側を支持するようにしてなる建築用取付具としたことにより、前記課題を解決した。
【０００８】
請求項２の発明を、請求項１において、前記高位置挟持片を有する脚部は外方に向かって傾斜状に形成され、前記低位置挟持片を有する脚部は垂直状に形成されてなる建築用取付具としたことにより、上記課題を解決した。請求項３の発明を、請求項１において、前記低位置挟持片を有する脚部は外方に向かって傾斜状に形成され、前記高位置挟持片を有する脚部は垂直状に形成されてなる建築用取付具としたことにより、上記課題を解決した。請求項４の発明を、請求項１，２又は３のいずれか１項の記載において、前記締付具はボルト及びナットから構成され、且つ前記ナットの位置する側の脚部には該ナットが収納される窪み部が形成されてなる建築用取付具としたことにより、上記課題を解決した。
【０００９】
請求項５の発明を、請求項４において、前記ボルトのボルト頭部と螺子軸部との間には角軸部が形成され、前記脚部には前記角軸部が挿入されると共に前記ボルトが軸周方向に非回転となる締付用貫通孔が形成されてなる建築用取付具としたことにより、上記課題を解決した。請求項６の発明を、請求項１，２，３，４又は５のいずれか１項の記載において、前記頂部には螺子軸が具備されてなる建築用取付具としたことにより、上記課題を解決した。
【発明の効果】
【００１０】
請求項１の発明では、建築用取付具を特に凹状窪み部と凸状膨出部とを有する馳締連結部に対して極めて強固な装着ができる。上記効果を詳述すると、両脚部の対向する内面側より幅方向中間箇所に向かって突出形成され且つ上下方向に高さ位置の異なる高位置挟持片と低位置挟持片を有しており、折板屋根を構成する建築用板の馳締連結部に対して、高位置挟持片と低位置挟持片とが上下方向に位置の異なる箇所に当接する構成となる。
【００１１】
そして、上述したように、高位置挟持片と低位置挟持片とは高さ方向における段差を有しているので、高位置挟持片は馳締連結部の上方に位置する凹状窪み部に食い込み、低位置挟持片は、馳締連結部の凸状膨出部を下端位置にて支持するように当接することができ、馳締連結部に対して極めて強固に取り付けられる。したがって、高位置挟持片と低位置挟持片により上下方向に対する取付強度が増加する。また、高位置挟持片は、馳締連結部の凹状窪み部に食い込み、その反対側では低位置挟持片が馳締連結部の凸状膨出部の下端位置に当接しているので、馳締連結部の馳締強度も強固にすることができる。
【００１２】
さらに、両脚部の下端は、高位置挟持片及び低位置挟持片よりも下方に位置し、折板屋根の馳締連結部の直下に位置する折板屋根の山形頂面に設置され、本発明の建築用取付具を、安定した装着にすることができる。つまり、本発明の建築用取付具は、折板屋根の各山形部に対して、高さ位置の異なる高位置挟持片と低位置挟持片及びこれらに加えて、両脚部の下端の合計４箇所にて設置され、上下左右における取付強度を向上させることができる。
【００１３】
請求項２の発明では、高位置挟持片を有する脚部は外方に向かって傾斜状に形成され、前記低位置挟持片を有する脚部は垂直状に形成されているので、低位置挟持片の先端と馳締連結部との当接部位を基準として、建築用取付具の馳締連結部に対する位置決めを簡易且つ迅速に行うことができる。そして、高位置挟持片を馳締連結部の上方の凹状窪み部に食い込むように押圧しつつ、建築用取付具を装着できる。よって、馳締連結部の馳締状態をより一層強固にしつつ、建築用取付具を取り付けることができる。
【００１４】
請求項３の発明では、低位置挟持片を有する脚部は外方に向かって傾斜状に形成され、前記高位置挟持片を有する脚部は垂直状に形成されているので、高位置挟持片の先端と馳締連結部との当接部位を基準として建築用取付具の馳締連結部に対する位置決めを簡易且つ迅速に行うことができる。そして、低位置挟持片を馳締連結部の下方の凹状膨出部の下端位置に食い込むように押圧しつつ、建築用取付具を装着できる。よって、馳締連結部の馳締状態をより一層強固にしつつ、建築用取付具を取り付けることができる。
【００１５】
請求項４の発明では、締付具はボルト及びナットから構成され、且つ前記ナットの位置する側の脚部には該ナットが収納される窪み部が形成された構成としているので、建築用取付具を馳締連結部に装着するときに、締付具のナットとボルトが分離しても、ナットが窪み部に収納された状態となり、ナットが建築用取付具から完全に脱落することを防止できる。
【００１６】
請求項５の発明では、前記ボルトのボルト頭部と螺子軸部との間には角軸部が形成され、前記脚部には前記角軸部が挿入されると共に前記ボルトが軸周方向に非回転となる締付用貫通孔が形成される構成としたので、締付具による締付作業で、ボルトが軸周方向に非回転のため、ボルト側を特に工具で固定することなく、ナットのみを回転させればよく、作業効率を向上させることができる。請求項６の発明では、頂部には螺子軸が具備された構成としたことにより、本発明の建築用取付具を折板屋根の馳締連結部に装着するのみで、太陽電池パネル，緑化屋根装置等の機器の設置が極めて効率的にすることができる。
【図面の簡単な説明】
【００１７】
【図１】(Ａ)は第1実施形態の建築用取付具の両脚部が締付具により締め付けられた状態の斜視図、(Ｂ)は第1実施形態の建築用取付具を外囲体の馳締連結部に装着した状態の正面図、(Ｃ)は(Ｂ)の（ア）部拡大図である。
【図２】(Ａ)は第1実施形態の建築用取付具において締付が解除された状態の一部断面にした正面図、(Ｂ)は(Ａ)の（イ）部断面図、（Ｃ）は（Ｂ）のＹ1−Ｙ1矢視断面図である。
【図３】(Ａ)は第１実施形態の建築用取付具が外囲体の馳締連結部に装着された構成において上下方向の負荷に対応している状態の要部拡大図、(Ｂ) は第１実施形態の建築用取付具が外囲体の馳締連結部に装着された構成において馳締連結部に対して左右方向の負荷に対応している状態の要部拡大図、(Ｃ)は建築用取付具の高位置挟持片と低位置挟持片にて馳締連結部を締め付けている状態をさらに拡大した要部断面図である。
【図４】(Ａ)は第２実施形態の建築用取付具の正面図、(Ｂ)は第２実施形態の建築用取付具を外囲体の馳締連結部に装着しようとする状態の正面図、(Ｃ) は第３実施形態の建築用取付具の正面図、(Ｄ) は第３実施形態の建築用取付具を外囲体の馳締連結部に装着しようとする状態の正面図である。
【図５】(Ａ)は第４実施形態の建築用取付具の斜視図、(Ｂ)は第４実施形態を建築用取付具を外囲体の馳締連結部に装着した状態の縦断正面図、（Ｃ）は第４実施形態の建築用取付具において外囲体の馳締連結部に着脱する際にナットが窪み部に収容されることにより紛失防止された状態を示す縦断正面図である。
【図６】外囲体の馳締連結部が角馳タイプとした折板屋根に本発明における建築用取付具を装着した正面図である。
【図７】本発明の建築用取付具を介して折板屋根に太陽電池パネルを装着した状態の正面略示図である。
【発明を実施するための形態】
【００１８】
以下、本発明を図面に基づいて、本発明の第１実施形態から説明する。本発明は、頂部１と、該頂部１の幅方向両端から下方に形成された脚部２，２と、両脚部２，２の対向する内面側より幅方向中間箇所に向かって突出形成され且つ上下方向に高さ位置の異なる高位置挟持片３と低位置挟持片４と、前記両脚部２，２同士を内方側に向かって締め付ける締付具５とから構成される（図１、図２参照）。
【００１９】
本発明は、金属板材から形成されたものであり、前記頂部１は、略長方形又は略正方形の板状に形成されている。該頂部１の幅方向両端から脚部２，２とが一体的に折曲形成されている。両脚部２，２は、略長方形又は正方形の板状に形成されている。両脚部２，２は、下端側が外方に拡がるようにして傾斜形成されている〔図２（Ａ）参照〕。
【００２０】
つまり、両脚部２，２は、互いに略「ハ」字形状となるように、構成されている。そして、後述する締付具５を締め付けることにより、両脚部２，２は、弾性変形して略垂直状に対向する〔図１（Ａ），（Ｂ）参照〕。そして、締付具５による締め付けを緩めることで、両脚部２，２は略「ハ」字形状に拡がり復元することができるようになっている〔図２（Ａ）参照〕。本発明の建築用取付具を折板屋根の馳締連結部Ｊに装着するときは、両脚部２，２は略「ハ」字形状に拡げておく〔図２（Ａ）参照〕。
【００２１】
両脚部２，２の下端には、脚部２に対して外方に直角（略直角も含む）に折曲された座板片２１，２１が形成されている。座板片２１は、前後方向に沿って長方形状に形成され、脚部２が垂直状態のときに水平状態となり、本発明の建築用取付具が安定した状態で折板屋根の馳締連結部Ｊ箇所に設置できるようになっている。また、両脚部２，２には、前後方向の中間箇所に外方に膨出する膨出補強部２２，２２が形成されている〔図１（Ａ），（Ｂ）、図２（Ａ）参照〕。該膨出補強部２２は、上方が半円形で下方が長方形となり、これらが連続して膨出補強部２２，２２するように形成されたものである。
【００２２】
両脚部２，２には、締付用貫通孔２３，２３が形成されている。両締付用貫通孔２３，２３には、後述する締付具５のボルト５１が貫通する。また、締付用貫通孔２３は、脚部２の前記膨出補強部２２に形成される〔図２（Ｂ）参照〕。このような構成によって、両脚部２，２が締付具５にて締め付けられたときに、脚部２，２に変形が生じにくいようにすることができる。
【００２３】
対向する両脚部２，２の内面側において、その一方側の脚部２は高位置挟持片３が設けられ、他方側の脚部２には低位置挟持片４が設けられている。高位置挟持片３及び低位置挟持片４は、両脚部２，２の対向する内面側より幅方向に対して、その中間箇所に向かって突出形成されたものであり、高位置挟持片３及び低位置挟持片４は略長方形状の板片として形成されたものである。
【００２４】
高位置挟持片３及び低位置挟持片４は、それぞれが直接装着されている脚部２，２に対して直角（略直角も含む）となるように設定されている。高位置挟持片３には、脚部２とは別部材として形成されたものである。そして高位置挟持片３には、直角に折曲形成された取付片３１を有しており、該取付片３１が、脚部２の内面側に当接され、リベット，溶接等の固着手段にて高位置挟持片３が脚部２に固着される。
【００２５】
低位置挟持片４についても、高位置挟持片３と同様に、脚部２とは別部材として形成されたものであり、低位置挟持片４には、直角に折曲形成された取付片４１を有しており、該取付片４１が、脚部２の内面側に当接され、リベット，溶接等の固着手段にて低位置挟持片４が脚部２に固着される。
【００２６】
両脚部２，２が締付具５によって締め付けられることにより、略垂直状で且つ略平行な状態で対向したときに、高位置挟持片３及び低位置挟持片４は、水平で且つ高さ方向に段差Ｈを生じるものであり、高位置挟持片３が低位置挟持片４よりも高所に位置することになる〔図１（Ｂ），（Ｃ）参照〕。その段差Ｈの量は、後述する馳締連結部Ｊの大きさや形状によって設定されるものである。高位置挟持片３及び低位置挟持片４は、共に脚部２，２の下端よりも上方に位置している。
【００２７】
また、両脚部２，２が平行（略平行も含む）に対向する状態で、幅方向において高位置挟持片３の先端と、低位置挟持片４の先端とは、適宜の間隔を有している。この間隔は、後述する馳締連結部Ｊの大きさや形状によって設定されるものである。また、馳締連結部Ｊの種類によっては、高位置挟持片３の先端と低位置挟持片４の先端が幅方向において重なり合う構成となることもある。
【００２８】
締付具５は、ボルト５１とナット５２とから構成され、座金等が構成に含まれることもある。ボルト５１は、両脚部２，２の締付用貫通孔２３，２３を貫通し、ナット５２によって締め付けられ、ハ字形状に拡開された脚部２，２を平行（略平行も含む）に対向させる役目をなすものである。
【００２９】
ボルト５１には、ボルト頭部５１ａと螺子軸部５１ｂとの間に角軸部５１ｃが形成されている。角軸部５１ｃとしては、四角柱状の軸として形成されている〔図２（Ｂ），（Ｃ）参照〕。また、前記両脚部２，２の締付用貫通孔２３，２３のいずれか一方は、角軸部５１ｃと同一形状の角孔として形成されている〔図２（Ｂ），（Ｃ）参照〕。
【００３０】
そして、前記角軸部５１ｃが角孔として形成された締付用貫通孔２３に対して、挿入且つ軸周方向に回転不能となるように構成される。これによって、両脚部２，２の締付用貫通孔２３，２３に貫通したボルト５１は、空転しない構成となり、ボルト５１を固定することなく、ナット５２を回すのみで締付具５の締付を行うことができる。
【００３１】
また、前記高位置挟持片３の取付片３１には貫通孔３１ａが形成され、前記低位置挟持片４の取付片４１には貫通孔４１ａが形成され、貫通孔３１ａ及び貫通孔４１ａには、前記両締付用貫通孔２３，２３と共に前記ボルト５１が貫通して、相互に干渉しない構成としている（図２参照）。
【００３２】
次に、本発明の第２実施形態では、前記高位置挟持片３を有する脚部２は、幅方向において外方に向かって傾斜状に形成され、前記低位置挟持片４を有する脚部２は垂直状に形成される構成としたものである〔図４（Ａ）参照〕。つまり、高位置挟持片３を有する脚部２は、頂部１に対して開いた状態としておき、低位置挟持片４を有する脚部２は、頂部１に対して垂下状にしておく構成としたものである。
【００３３】
第２実施形態では、低位置挟持片４を有する脚部２は予め垂直状に形成されている。すなわち、低位置挟持片４側の脚部２は、外囲体を構成する建築用板９の頂部９３箇所に設置され、高位置挟持片３側の脚部２を、前述した低位置挟持片４を有する（固定側の）脚部２側に向かって寄せ付けるようにして締付具５により締め付けるものである〔図４（Ｂ）参照〕。
【００３４】
このように、低位置挟持片４の先端を馳締連結部Ｊに当接させることで、この当接位置を基準の位置として脚部２を配置することにより〔図４（Ｂ）参照〕、建築用取付具の馳締連結部Ｊに対する位置決めを簡易且つ迅速に行うことができる。そして、高位置挟持片３を馳締連結部Ｊの上方の凹状窪み部Ｊａに食い込むように押圧しつつ、建築用取付具を装着できる。よって、馳締連結部Ｊの馳締状態をより一層強固にしつつ、建築用取付具を取り付けることができる。
【００３５】
次に、本発明の第３実施形態では、前記低位置挟持片４を有する脚部２は、幅方向において外方に向かって傾斜状に形成され、前記高位置挟持片３を有する脚部２は垂直状に形成される構成としたものである。つまり、低位置挟持片４を有する脚部２は、頂部１に対して開いた状態としておき、高位置挟持片３を有する脚部２は、頂部１に対して垂下状にしておく構成としたものである〔図４（Ｃ）参照〕。
【００３６】
前述した第３実施形態では、高位置挟持片３を有する脚部２が予め垂直状に形成され、該脚部２は、外囲体を構成する建築用板９の頂部９３箇所に設置され、低位置挟持片４側の脚部２を、前述した高位置挟持片３を有する（固定側の）脚部２側に向かって寄せ付けるようにして締付具５により締め付けるものである〔図４（Ｄ）参照〕。
【００３７】
このように、高位置挟持片３の先端を馳締連結部Ｊに当接させることで、この当接位置を基準の位置として脚部２を配置することにより〔図４（Ｄ）参照〕、建築用取付具の馳締連結部Ｊに対する位置決めを簡易且つ迅速に行うことができる。そして、低位置挟持片４を馳締連結部Ｊの凸状膨出部Ｊｂの下端側を支持するようにして押圧しつつ、建築用取付具を装着できる。よって、馳締連結部Ｊの馳締状態をより一層強固にしつつ、建築用取付具を取り付けることができる。
【００３８】
本発明の第４実施形態として、前記両脚部２，２において、前記ナット５２の位置する側の脚部２には該ナット５２が収納される窪み部２４が形成されるものが存在する（図５参照）。窪み部２４は、脚部２の内方側に凹形状に窪む領域として形成されている。窪み部２４にはナット５２が十分に収納される程度の深さと広さを有している〔図５（Ａ），（Ｂ）参照〕。
【００３９】
前記窪み部２４が設けられることによって、作業時において、締付具５を構成するナット５２等の部品が紛失することを防止できる。つまり、本発明の建築用取付具を、外囲体の馳締連結部Ｊに装着する場合に、建築用取付具を前記馳締連結部Ｊに対して設置し易くするために、締付具５を一旦緩めて、両脚部２，２を開き、高位置挟持片３と低位置挟持片４との間隔を拡げることがある〔図５（Ｃ）参照〕。
【００４０】
そのようなときに、締付具５は、ナット５２がボルト５１から外れてしまうことも、しばしば、起こり得る。ところが、前記ナット５２は、窪み部２４内に収容された状態であり、ボルト５１から外れたナット５２は、窪み部２４に引っ掛かる状態となる〔図５（Ｃ）参照〕。したがって、ナット５２は、建築用取付具の脚部２から脱落することを防止でき、ひいてはナット５２を紛失することも防止できる〔図５（Ｃ）参照〕。
【００４１】
また、前記頂部１には、螺子軸６が具備されている。該螺子軸６は、屋根に装着する太陽電池パネル装置８を設置する場合に使用される。また、前記螺子軸６は、屋根や壁に種々の構造物を設置する際に極めて有効である。特に、屋根を緑化屋根として、施工する場合において、種々の器具を設置することが容易となる。
【００４２】
次に、本発明の建築用取付具を建築用板９によって施工された屋根，壁等の外囲体の馳締連結部Ｊに装着する構造について説明する。前記建築用板９は、主板９１の幅方向両側に傾斜状の立上り側部９２，９２が形成されている。両立上り側部９２，９２は互いに外方側に向かって傾斜するように形成されている。
【００４３】
両立上り側部９２，９２の外端より頂面９３，９３が形成されている。その一方の頂面９３の外端から下馳部９４が形成され、他方の頂面９３の外端から上馳部９５が形成されている。前記下馳部９４は、首部９４ａの上端から下重合片９４ｂが形成され、前記上馳部９５は、首部９５ａと上重合片９５ｂとからなる。
【００４４】
隣接する建築用板９，９の下馳部９４と上馳部９５とが馳締連結されて馳締連結部Ｊが構成される。該馳締連結部Ｊは、首部９４ａと首部９５ａとが当接（略当接も含む）し、下重合片９４ｂに上重合片９５ｂが巻き付けられる〔図１（Ｃ）参照〕。ここで、下重合片９４ｂと上重合片９５ｂとは、半円弧状に形成され、丸馳タイプの馳締連結部Ｊを構成したり、或いは下重合片９４ｂと上重合片９５ｂとは、「く」字形状に形成され、角馳タイプの馳締連結部Ｊを構成する（図６参照）。
【００４５】
そして、前記馳締連結部Ｊには、前述したように、凹状窪み部Ｊａと、凸状膨出部Ｊｂが形成される。凹状窪み部Ｊａは略半円形状の窪みであり、凸状膨出部Ｊｂは半円形状の膨出であり、凹状窪み部Ｊａと凸状膨出部Ｊｂとは、表裏の位置関係にある〔図１（Ｃ），図３等参照〕。
【００４６】
本発明の建築用取付具を馳締連結部Ｊに装着するには、締付具５のボルト５１とナット５２を緩めて両脚部２，２と共に、高位置挟持片３と低位置挟持片４との間隔を拡げる〔図２（Ａ）参照〕。次に、建築用取付具を、折板屋根が構成される山形部の馳締連結部Ｊ上に配置する。そして、締付具５を締め付けて、両脚部２，２の間隔を狭くしつつ、高位置挟持片３を前記凹状窪み部Ｊａに食い込ませ、低位置挟持片４は凸状膨出部Ｊｂの下端を支持するようにして、建築用取付具を馳締連結部Ｊに取り付けることができる〔図１（Ｂ），（Ｃ）参照〕。
【００４７】
本発明の建築用取付具では、特に凹状窪み部Ｊａと凸状膨出部Ｊｂとを有する馳締連結部Ｊに対して極めて強固な装着ができる。両脚部２，２の対向する内面側より幅方向中間箇所に向かって突出形成され且つ上下方向に高さ位置の異なる高位置挟持片３と低位置挟持片４を有しているので、折板屋根を構成する建築用板９，９，…の馳締連結部Ｊ，Ｊ  …に対して、高位置挟持片３と低位置挟持片４とが上下方向に位置の異なる箇所に当接する構成となる。
【００４８】
すなわち、高位置挟持片３は馳締連結部Ｊの上方に位置する凹状窪み部Ｊａに食い込み、低位置挟持片４、馳締連結部Ｊの凹状窪み部Ｊａを下端位置にて支持するように当接することができ、馳締連結部Ｊに対して極めて強固に取り付けられる。したがって、高位置挟持片３と低位置挟持片４により上下方向及び左右方向に対する取付強度が増加する（図３参照）。
【００４９】
その図３（Ａ）は、本発明の建築用取付具が外囲体の馳締連結部Ｊに装着された状態で、強風等による負圧荷重として垂直方向荷重Ｆｖが建築用取付具にかかり、この垂直方向荷重Ｆｖに対して高位置挟持片３と凹状窪み部Ｊａ及び低位置挟持片４と凸状膨出部Ｊｂとの係止箇所に生じる垂直方向の反力Ｒｖが対応（抵抗）し、建築用取付具が馳締連結部Ｊから外れない状態を示すものである。
【００５０】
また、図３（Ｂ）は、本発明の建築用取付具が外囲体の馳締連結部Ｊに装着された状態で、強風等による水平方向荷重Ｆｈが建築用取付具にかかり、この水平方向荷重Ｆｈに対して高位置挟持片３と凹状窪み部Ｊａ及び低位置挟持片４と凸状膨出部Ｊｂとの係止箇所に生じる水平方向の反力Ｒｈが対応（抵抗）し、建築用取付具が馳締連結部Ｊから外れない状態を示すものである。
【００５１】
また、図３（Ｃ）は、高位置挟持片３が馳締連結部Ｊの凹状窪み部Ｊａに食い込み、その反対側にて低位置挟持片４が馳締連結部Ｊの凸状膨出部Ｊｂの下端位置に当接し、締付具５の締付による前記高位置挟持片３及び前記低位置挟持片４の締付荷重Ｒ，Ｒによって、馳締連結部Ｊの締付強度がさらに向上し、該馳締連結部Ｊがより一層強固になることを示すものである〔図３（Ｃ）参照〕。
【００５２】
さらに、両脚部２，２の下端は、高位置挟持片３及び低位置挟持片４よりも下方に位置し、折板屋根の馳締連結部Ｊの直下に位置する折板屋根の山形頂面に設置され、本発明の建築用取付具を、安定した装着にすることができる。つまり、本発明の建築用取付具は、折板屋根の各山形部に対して、高さ位置の異なる高位置挟持片３と低位置挟持片４及びこれらに加えて、両脚部２，２の下端の合計４箇所にて設置され、上下左右における取付強度を向上させることができる。
【００５３】
次に、本発明の建築用取付具の具体的な使用例を説明する。建築用板９によって施工された折板屋根(壁も含む)において、太陽電池パネル装置８を支持する支持架台８１が馳締連結部Ｊに複数装着された建築用取付具の頂部１，１，…に配置される（図７参照）。このとき、頂部１に設けられた螺子軸６を利用する。また、前述した太陽電池パネル装置８の装着以外にも、屋根を緑化屋根等の設備として施工する場合において、本発明の建築用取付具を利用することにより、上記設備に関連する種々の機器，器具等を設置することができる。
【符号の説明】
【００５４】
１…頂部、２…脚部、２３…締付用貫通孔、２４…窪み部、３…高位置挟持片、
４…低位置挟持片、５…締付具、５１…ボルト、５１ａ…ボルト頭部、５１ｃ…角軸部、
５１ｂ…螺子軸部、５２…ナット、６…螺子軸。
【図１】
0005912481.tif 000002
【図２】
0005912481.tif 000003
【図３】
0005912481.tif 000004
【図４】
0005912481.tif 000005
【図５】
0005912481.tif 000006
【図６】
0005912481.tif 000007
【図７】
0005912481.tif 000008